(57)【要約】      （修正有）【課題】構造が簡単で低価格に製作でき、持ち運びが容易で、観音開き状態で設置出来、どこででも使用できる携帯仏壇を提供する。【解決手段】長方形状の第２の基板１Ｂと、この長方形状の第２の基板の両側辺に折り返し自在に連接される長方形状の第１の基板１Ａ、第３の基板１Ｃとからなり観音開き状に立設可能にした本体基板１を有する携帯仏壇であって、前記第１の基板の上面に戒名６Ａを装着する第１の装着板４Ａを、前記第２の基板の上面に物故者の写真６Ｂを装着する第２の装着板４Ｂを、前記第３の基板の上面に俗名・命日を記載した書面６Ｃを装着する第３の装着板４Ｃを設けて、これら第１〜第３の装着板により戒名、写真、俗名・命日を装着した状態で、本体基板を観音開き状に立設して葬儀等の仏事を行う。【選択図】図３
0003192660.tif 000002
【実用新案登録請求の範囲】
【請求項１】
四辺形状の第１の基板が両側辺に、四辺形状の第２、第３の基板の一方の側辺を折り返し自在に連接してなる本体基板と、
前記第１、第２及び第３の基板の各上面に仏事供養用に係る資料を装着し得る第１、第２及び第３の装着部と、
を備えてなることを特徴とする携帯仏壇。
【請求項２】
前記第１、第２、及び第３の資料装着部は、物故者の写真、戒名、俗名・命日のいずれかを、装着し得るようにしたものであることを特徴とする請求項１記載の携帯仏壇。
【請求項３】
前記第１、第２、及び第３の資料装着部は、供養者に係る画像、過去帳、経文のいずれかを装着し得るようにしたものであることを特徴とする請求項１記載の携帯仏壇。
【請求項４】
前記第１、第２、及び第３の資料装着部は、それぞれ適所に所定の大きさ、形状の開口部を有する装着板で形成され、各装着板の一部底面が前記各基板の上面適所に固着されてなることを特徴とする請求項１、請求項２又は請求項３記載携帯仏壇。
【請求項５】
前記第１、第２、及び第３の資料装着部は、前記各基板の上面適所と前記各装着板の底面適所の一方に磁石を、他方に磁性体を設けて、各資料を磁力により固着するようにしたことを特徴とする請求項４記載の携帯仏壇。
【請求項６】
前記第１、第２、及び第３の資料装着部は、前記第１、第２及び第３の基板の上面に形成される第１、第２及び第３の装着板であり、これら第１、第２及び第３の装着板の上面に前記物故者、戒名、俗名・命日、画像、過去帳、経文のいずれかを貼着するようにしてなることを特徴とする請求項１、請求項２又は請求項３記載携帯仏壇。
【考案の詳細な説明】
【技術分野】
【０００１】
本考案は、近親者等に物故者が出た場合等に葬儀や、法事等を寺院又は仏壇がなくても簡易になし得る携帯仏壇に関する。
【背景技術】
【０００２】
従来、肉親、近親者等に、物故者が出た場合、その仏事に係る追悼・供養をする告別式の葬儀場において物故者の遺影を掲げるとともに式後の焼場への移動の際には、物故者の遺影(写真)、戒名、位牌等の、それぞれを近親者が数人で個別に手にして移動し、それぞれ、告別式場、焼却場、続く各場に応じた供応を行うようにしている。
【０００３】
一方、従来、肉親、近親者などに、物故者が出た場合、喪主に、家族、近親者が少なく、かつ自宅等に仏壇もない場合に、自宅、告別式場での葬儀に使用できるように、どんな場合でも、何処にでも気軽に簡単に持ち運びが出来る携帯仏壇として、見開き状に形成した手帖型の外装の内面に形成した装填部に、
カード状に形成した戒名入りの位牌又は写真、或いはお経の写しを装填しておくようにしたものが携帯用仏壇として開示されている(例えば特許文献１参照)。
【０００４】
また、他の携帯仏壇として、持ち運びの出来るように取手付きの携帯ボックスの箱の裏の蓋裏に三面鏡風の掛け軸掛けを設けた下部に、仏具が納められる引き出しを組み合わせた簡易携帯仏壇が開示されている(例えば特許文献２参照)。
【先行技術文献】
【特許文献】
【０００５】
【特許文献１】実用新案登録第３０６６５７３号公報
【特許文献２】特開平１１−１１３７３１号公報
【考案の概要】
【考案が解決しようとする課題】
【０００６】
上記したように、従来、物故者に係る仏事において、喪主等、法事を執行する者が仏壇を有しない者、近親者が少ない場合には仏事において、写真、戒名、位牌等を個別に持参して式を進めることが非常に難しいという問題がある。
【０００７】
また、上記特許文献１、２に記載の携帯仏壇では、親族、近親者等が少ない場合でも、携帯仏壇を１人で持ち運びが出来るので、従来に比べて仏壇がない場所でも、簡易に葬儀を営むことが出来るようになった。
【０００８】
しかし、この特許文献１の携帯仏壇では、折り畳み式のブック型の簡易仏壇であるため、観音開き式のものほどは、安定に立てることが出来ず、また１仏壇に写真、戒名、の外に物故者の俗名・命日、過去帳等を選択して添付表示することが出来ないという問題がある。
【０００９】
また、上記特許文献２に記載の携帯仏壇では、三面鏡風の掛け軸掛け、を有し、観音開き式の仏壇に近いものであるものの、この三面鏡風の掛け軸掛けは、
仏具が置ける棚上に、折畳み可能に付設しており、シンプルに観音開き出来るものではなく、また、仏具一式を収納できる引き出し付きのボックスタイプ仏
壇であり、カバンやバックに入れて旅行等携行出来る大きさではない重量もあるため容易には持ち運べないという問題がある。
【００１０】
また、近年の仏事に係る葬儀事情として、核家族や高齢化、各自の予算事情に伴い、従来の葬儀の形態にこだわることなく、従来の葬儀の慣習にとらわれ
ることなく小予算・小人数での係る葬儀、仏事の実施への要望が増加して来ている。
【００１１】
本考案は、上記問題点に着目してなされたものであって、観音開き態様で、簡単な構成で、製作に時間を要することなく、従来より安価に製作でき、仏事に係る法事当日の移動が容易で、保管場所を選ばず、法事の度の煩わしさを軽減でき、場所を特定せず、手元供養・法要を実施でき、さらに従来の供養形態を崩すことなく仏事・法事を行い得る携帯仏壇を提供することを目的とする。
【課題を解決するための手段】
【００１２】
上記目的を達成するために、本考案の携帯仏壇は、四辺形状の第１の基板が両側辺に、四辺形状の第２、第３の基板の一方の側辺を折り返し自在に連接してなる本体基板と、前記第１、第２及び第３の基板の各上面に仏事供養用に係る資料を装着し得る第１、第２及び第３の装着部と、を備えてなることを特徴とする。
【００１３】
本考案の携帯仏壇において、更に具体的に、前記第１、第２、及び第３の資料装着部は、物故者の写真、戒名、俗名・命日のいずれかを、装着し得るようにしたものであることとしても良い。
【００１４】
また、本考案の携帯仏壇において、更に具体的に、前記第１、第２、及び第３の資料装着部は、供養者に係る画像、過去帳、経文のいずれかを装着し得るようにしたものであることとしても良い。
【００１５】
また、本考案の携帯仏壇において、更に具体的に、前記第１、第２、及び第
３の資料装着部は、それぞれ適所に所定の大きさ、形状の開口部を有する装着板で形成され、各装着板の一部底面が前記各基板の上面適所に固着されてなることとしても良い。
【００１６】
また、本考案の携帯仏壇において、更に具体的に、前記第１、第２及び第３の資料装着部は、各基板の上面適所と各装着板の底面適所の一方に磁石を、他方に磁性体を設けて、各資料を磁力により固着するようにしても良い。
【００１７】
また、本考案の携帯仏壇において、更に具体的に、前記第１、第２及び第３の資料装着部は、前記第１、第２及び第３の基板の上面に形成される第１、第２及び第３の装着板であり、これら第１、第２及び第３の装着板の上面に前記物故者、戒名、俗名・命日、画像、過去帳、経文のいずれかを貼着するようにしても良い。
【考案の効果】
【００１８】
本考案によれば、四辺形状の第１の基板が両側辺に、四辺形状の第２、第３の基板の一方の側辺を折り返し自在に連接してなる本体基板と、前記第１、第２及び第３の基板の各上面に仏事供養用に係る資料を装着し得る第１、第２及び第３の装着部と、を備えているので、本考案の携帯仏壇を用いて仏事に係る法事を行うことにより、次の効果を得ることが出来る。
１）携帯仏壇として、構造が簡単であり、従来の寺の固定式の仏壇より、はるかに低価格で製作出来る。
２）葬儀その他の仏事の際に、場所、時を選ばず、どこでも使用でき、仏事に係る法事を行うことが出来る。
３）従来の携帯式の携帯仏壇に比し、仏事に使用する際は、固定式仏壇と同様の観音開き状に設置でき、それでいて、不使用時には、コンパクトに折畳み出来、持ち運び、保存を簡単、スムーズ、容易に行うことが出来る。
【図面の簡単な説明】
【００１９】
【図１】本考案の一実施形態の携帯仏壇を示す図であり、（ａ）は、同携帯仏壇の平面図、（ｂ）は、同携帯仏壇の側面図である。
【図２】同実施形態携帯仏壇を机上などに立てた状態を示す斜視図である。
【図３】同実施形態携帯仏壇において、写真、戒名等を装着した状態を示す平面図である。
【図４】同実施形態携帯仏壇を保管時の折畳み状態とした場合の斜視図である。
【図５】本考案の他の実施形態携帯仏壇を示す平面図である。
【図６】本考案の更に他の実施形態携帯仏壇を示す平面図である。
【図７】本考案の更に他の実施形態携帯仏壇を示す底面図である。
【考案を実施するための形態】
【００２０】
以下、実施の形態により、本考案をさらに詳細に説明する。
図１は、本考案の一実施形態仏壇を示す図であり、図１の（ａ）は、同携帯仏壇の平面図、図１の（ｂ）は同携帯仏壇の側面図である。また、図２は、同携帯仏壇を机上等に観音開き状に立てた状態を示す斜視図である。
【００２１】
この実施形態携帯仏壇は、平面視、長方形(四辺形)状の基板１Ａ、１Ｂ、１Ｃが一体的に連接されて本体基板１が形成されている。この本体基板１は、中央部に配置される基板１Ｂの一方の側辺に可撓性の連接部２ａを介して基板１Ａの側辺が接続されており、基板１Ｂの他方の側辺に可撓性の連接部２ｂを介して基板１Ｃの側辺が連接されている。
【００２２】
上記本体基板１は、具体的には、基板１Ａ、基板１Ｂ、基板１Ｃとして、それぞれ個別の厚紙で形成され、これら各厚紙１Ａ、１Ｂ、１Ｃが一体的にビニール地１Ｄで被覆されており、連接部２ａ、２ｂがビニール地のみで形成されるものを使用している。
【００２３】
本体基板１の基板１Ａの上面には、上端部３Ａで下面が貼着された装着板４Ａが、基板１Ｂの上面には、上端部３Ｂで下面が貼着された装着板４Ｂが、基板１Ｃの上面には上端部３Ｃで下面が貼着された装着板４Ｃが、それぞれ設けられている。装着板４Ａ、４Ｂ、４Ｃは、板材として厚紙を使用しているが、プラスチック板、木板例えば漆板等を用いても良い。
【００２４】
装着板４Ａ、４Ｂ、４Ｃには、それぞれ開口５Ａ、５Ｂ、５Ｃが設けられており、装着板４Ａ、４Ｂ、４Ｃの上方より、開口５Ａ、５Ｂ、５Ｃを通して基板１Ａ、１Ｂ、１Ｃの上面が目視可能に構成されている。使用される仏事に応じて、装着板４Ａ、４Ｂ、４Ｃと基板１Ａ、１Ｂ、１Ｃとの間に、物故者の写真、戒名、俗名・命日、画像、過去帳、経文等を適宜、選択して装着されるようにしている。
【００２５】
この、実施形態では、例えば図３に示すように装着板４Ｂの開口５Ｂには物故者の写真６Ｂを、装着板４Ａの開口５Ａには戒名６Ａを、装着板４Ｃの開口５Ｃには、物故者の俗名・命日及び享年を記載した紙片６Ｃを装着した場合を示している。装着には、戒名、写真、俗名・命日・享年の記載された各紙片６Ａ、６Ｂ、６Ｃを、それぞれ装着板４Ａ、４Ｂ、４Ｃの下端４ａ、４ｂ、４ｃより基板１Ａ、１Ｂ、１Ｃとの間に挿入し、装着後は装着板４Ａ、４Ｂ、４Ｃの下方端底面と基板１Ａ、１Ｂ、１Ｃとを両面接着テープで、あるいは粘着テープで貼着する。
【００２６】
葬儀等の法事の際は、図３に示すように、戒名、物故者の写真、俗名・命日を装着した携帯仏壇を式場の机上に、図２に示すように観音開き式に立設して仏壇として使用する。
【００２７】
法事が終了すると、携帯仏壇を机上から降ろし、図４に示すように装着板４Ｂの表面と装着板４Ｃの表面が向い会って接する方向に基板１Ｃを折り込み、次に基板１Ｃの表面の方に向けて、装着板４Ａの表面が接するように、基板１Ａを倒し、コンパクトに畳み込む。この畳み込んだ仏壇を持ち帰る。持ち帰り後は、所定保管箇所に折畳んだ状態で保存するか、仏壇設置箇所に観音開き状態にして立設保存する。
【００２８】
なお、この実施形態に係る携帯仏壇は、基板１Ａ、１Ｃの寸法を横１４ｃｍ×縦２５ｃｍ、基板１Ｂの寸法を横１８ｃｍ×縦２５ｃｍとしているが、製作に際しては、持ち運び容易な適宜な寸法に選定すれば良いこと勿論である。
【００２９】
次に、他の実施形態携帯仏壇として、図１に示すものと同様、基板１Ａ、１Ｂ、１Ｃの上面に、上端部３Ａ、３Ｂ、３Ｃで、装着部４Ａ、４Ｂ、４Ｃの下面が貼着されたものおいて、図５に示すように、各基板１Ａ、１Ｂ、１Ｃの上面と装着板４Ａ、４Ｂ、４Ｃの下面の下方(図面上の)の相対する位置７Ａ、７Ｂ、７Ｃの一方に磁石８Ａ、８Ｂ、８Ｃを、他方に磁性体９Ａ、９Ｂ、９Ｃを設けても良い。
【００３０】
この実施形態携帯仏壇においては、写真、戒名、俗名・命日等を、資料１０Ａ、１０Ｂ、１０Ｃとして、装着板４Ａ、４Ｂ、４Ｃの下面に挿入して、基板１Ａ、１Ｂ、１Ｃとの間に入れ、基板１Ａ、１Ｂ、１Ｃ上の磁石８Ａ、８Ｂ、８Ｃと、装着板４Ａ、４Ｂ、４Ｃの下面の磁性体９Ａ、９Ｂ、９Ｃとを吸装着させることにより、資料１０Ａ、１０Ｂ、１０ｃを、しっかり装着することができる。また、装着後の戒名、写真、俗名・命日等の資料１０Ａ、１０Ｂ、１０Ｃを取り外す際は、装着板４Ａ、４Ｂ、４Ｃの下端４ａ、４ｂ、４ｃを持ち上げるだけで資料１０Ａ、１０Ｂ、１０Ｃを簡単に取り外すことが出来る。
【００３１】
また、上記実施形態携帯仏壇において、装着板４Ａ、４Ｂ、４Ｃと、各基板１Ａ、１Ｂ、１Ｃ間に資料１０Ａ、１０Ｂ、１０Ｃを装着するようにしているが、これに代えて他の実施形態として、図６に示すように、開口無しの装着板１１Ａ、１１Ｂ、１１Ｃを基板１Ａ、１Ｂ、１Ｃ上に全面貼着して設け、この装着板１１Ａ、１１Ｂ、１１Ｃ上に戒名記載の紙片１２Ａ、写真紙片１２Ｂ、俗名・命日記載紙片１２Ｃを貼着しても良い。
【００３２】
また、上記実施形態携帯仏壇において、本体基板１として、各基板１Ａ、１Ｂ、１Ｃを、それぞれ個別の厚地で形成される各厚紙を互いに連接する距離をおいて一体的にビニール地１Ｄで被覆するようにしたものを使用しているが、さらに他の実施形態として、図７に示すように、基板１Ａ、１Ｂ、１Ｃとして長方形状の木製板を使用して、基板１Ａと１Ｂを、その裏面側部に蝶番１３Ａ、１３Ｂを設けて連接し、基板１Ｂと１Ｃを、その裏面側部に蝶番１３Ｃ、１３Ｄを設けて連接し、葬儀等仏事に使用する際は、観音開き状に立設し、移動時や、保管時には、図４に示すと同様に、折畳み状態として持ち運び、保管するようにしても良い。
【００３３】
なお、上記実施形態携帯仏壇において、装着板４Ａ、１１Ａにおいては戒名を、装着板４Ｂ、１１Ｂにおいては物故者の写真を、装着板４Ｃ、１１Ｃにおいては俗名・命日を貼着したものを例示しているが、本考案においては、勿論これに限るものではなく、仏事の法事内容に応じ、戒名、物故者の写真、俗名・命日、仏事に係る画像、過去帳、経文等より３種を、場合によっては２種を適宜選択して、装着板４Ａ、４Ｂ、４Ｃ(又は装着板１２Ａ、１２Ｂ、１２Ｃ)を適宜選択して装着しても良いことは勿論である。
【符号の説明】
【００３４】
１  本体基板
１Ａ、１Ｂ、１Ｃ  基板
２ａ、２ｂ  連接部
３Ａ、３Ｂ、３Ｃ  装着板の上端部
４Ａ、４Ｂ、４Ｃ  装着板
５Ａ、５Ｂ、５Ｃ  開口
６Ａ  戒名紙片
６Ｂ  物故者写真
６Ｃ  俗名・命日紙片
７Ａ、７Ｂ、７Ｃ  磁石装着領域
８Ａ、８Ｂ、８Ｃ  磁石
９Ａ、９Ｂ、９Ｃ  磁性体
１０Ａ  戒名
１０Ｂ  写真
１０Ｃ  俗名・命日
１１Ａ、１１Ｂ、１１ｃ  装着板
１２Ａ  戒名を記載した紙面
１２Ｂ  物故者の写真
１２Ｃ  俗名・命日を記載した紙面
１３Ａ、１３Ｂ、１３Ｃ、１３Ｄ  蝶番
【図１】
0003192660.tif 000003
【図２】
0003192660.tif 000004
【図３】
0003192660.tif 000005
【図４】
0003192660.tif 000006
【図５】
0003192660.tif 000007
【図６】
0003192660.tif 000008
【図７】
0003192660.tif 000009